(57)【要約】【課題】長尺物の巻き乱れを効果的に抑制することのできる長尺物巻取装置を提供する。【解決手段】このホースリールは、長尺物としてのホースを巻き取るためのドラム１０と、ドラム１０を回転可能に支持するドラム支持体２０とを備えている。さらに、このホースリールは、ホースにおけるドラム１０に巻き取られていない部分を摺動可能に保持する保持体６０と、保持体６０をドラム１０の軸方向に沿った移動経路上でスライド移動可能に支持するガイド体７０とを備えている。そして、ガイド体により形成される移動経路は、軸方向における両端部から中央側へ向かって、ホースの巻き取り操作が行われている状態において保持体６０がガイド体７０に当接する方向に傾斜している。【選択図】図１
2008063128.tif 000002
【特許請求の範囲】
【請求項１】
長尺物を巻き取るためのドラムと、
前記ドラムを回転可能に支持するドラム支持体と、
を備える長尺物巻取装置において、
前記長尺物における前記ドラムに巻き取られていない部分を摺動可能に保持する保持体と、
前記保持体を前記ドラムの軸方向に沿った移動経路上でスライド移動可能に支持するガイド体と、
を備え、
前記ガイド体により形成される前記移動経路は、前記軸方向における両端部から中央側へ向かって、前記長尺物の巻き取り操作が行われている状態において前記保持体が当該ガイド体に当接する方向に傾斜していること
を特徴とする長尺物巻取装置。
【請求項２】
前記ガイド体により形成される前記移動経路は、前記軸方向における中央部が前記ドラムの回転軸と平行であること
を特徴とする請求項１に記載の長尺物巻取装置。
【請求項３】
前記長尺物を前記ドラムの下方から巻き取るように構成されており、
前記ガイド体により形成される前記移動経路は、前記軸方向における両端部から中央側へ向かって下方に傾斜していること
を特徴とする請求項１又は請求項２に記載の長尺物巻取装置。
【発明の詳細な説明】
【技術分野】
【０００１】
本発明は、長尺物をドラムに巻き取る構成の長尺物巻取装置に関するものである。
【背景技術】
【０００２】
従来、ホースやコード等の長尺物を、ドラム支持体により回転可能に支持されたドラムに巻き取ることにより収納する長尺物巻取装置が利用されている。
こうした長尺物巻取装置では、ドラムを回転させて長尺物を巻き取る際に、長尺物がドラムの軸方向における偏った位置（特に端部）に集中して巻き取られやすいという問題がある。
【０００３】
このような問題を解決するため、特許文献１に記載のホースリールでは、ホースを摺動可能に保持する保持部をドラムの軸方向に移動可能に設けている。この構成によれば、ホースを巻き取る際に保持部をドラムの軸方向に移動させる操作を行うことで、手を汚すことなくホースをドラムの軸方向において均等に巻き取ることが可能となる。しかしながら、ドラムを回転させる操作に加え保持部を移動させる操作を行わなければならないため、操作が煩雑となる。特に、通水後のホースを巻き取る際にはホースの重みや引きずり抵抗によりドラム支持体が動きやすく、ドラム支持体を動かないように抑えながら巻き取り操作を行わなければならないため、保持部を上手く移動させることができずにホースの巻き乱れが生じてしまうという問題がある。
【０００４】
一方、特許文献２に記載のホースリールは、矩形状の本体ケース（筐体）にドラムを収容した構成のものであり、本体ケースの前面にホースが挿通する開口部が形成され、この開口部の幅方向が上方へ向かうに従って小さくなる形状となっている。このような構成により、ホースがドラムの軸方向端部に集中して巻き取られる場合であっても、所定量積層された時点で開口部によってホースがドラムの軸方向中央側へ案内されるようにしている。
【特許文献１】実用新案登録第３０８０９０６号公報
【特許文献２】特開２００５−２６３４９８号公報
【発明の開示】
【発明が解決しようとする課題】
【０００５】
一般に、ホースはゴムやビニールで作られているため、外周面に生じる摩擦力が大きい。このため、特許文献２に記載のホースリールのような構成では、ホースを巻き取る際にホースと開口部との接触部分に大きな摩擦力が生じ、この摩擦力によりホースの巻き乱れが発生しやすくなるという問題があった。このため、特許文献２に記載のホースリールでは、使用するホースを、外周面に長さ方向に延在する凹凸を設けたものに限定しているが、このようなホースを使用しても摩擦力が大幅に小さくできる訳ではないので、ホースの巻き乱れを抑制するのに十分とはいえなかった。なお、こうした問題は、ホース以外の長尺物についても生じ得るものである。
【０００６】
本発明は、こうした問題にかんがみてなされたものであり、長尺物の巻き乱れを効果的に抑制することのできる長尺物巻取装置を提供することを目的としている。
【課題を解決するための手段】
【０００７】
上記目的を達成するためになされた本発明の長尺物巻取装置は、長尺物を巻き取るためのドラムと、ドラムを回転可能に支持するドラム支持体とを備えている。また、この長尺物巻取装置は、長尺物におけるドラムに巻き取られていない部分を摺動可能に保持する保持体と、保持体をドラムの軸方向に沿った移動経路上でスライド移動可能に支持するガイド体とを備えている。そして、ガイド体により形成される移動経路は、軸方向における両端部から中央側へ向かって、長尺物の巻き取り操作が行われている状態において保持体が当該ガイド体に当接する方向に傾斜している。
【０００８】
なお、「長尺物の巻き取り操作が行われている状態において保持体がガイド体に当接する方向」とは、通常は下方である。保持体や、保持体に保持された状態の長尺物に加わる重力により、保持体には下方への力が加わるからである。ただし、下方に限定されるものではなく、例えば、長尺物の巻き取り操作が行われている状態において長尺物が位置するはずの高さよりも低い位置に保持体が配置されていれば、長尺物の上方への移動が保持体により規制されることとなるため、保持体には上方への力が加わることとなる。
【０００９】
このような構成の長尺物巻取装置によれば、長尺物をドラムに巻き取ることによる巻き乱れの発生を効果的に抑制することができる。
すなわち、長尺物がドラムに巻き取られる過程において、長尺物におけるドラムに巻き取られようとする部分が、既にドラムに巻き取られている部分と接触した場合、その巻き取られている部分の真上に正確に巻き取られるという状態は生じにくく、ドラムの軸方向両側におけるいずれか一方へずれて巻き取られることとなる。つまり、長尺物における既にドラムに巻き取られている部分が、新たに巻き取られようとする部分を軸方向の一方へずらすように作用し、この結果、既に巻き取られている部分と隣り合う位置に巻き取られる。そして、このような作用が連続的に生じることにより、長尺物はドラムの軸方向に沿って巻き取り位置を順に移動しながら整列して巻き取られていくことになる。
【００１０】
しかしながら、実際には、このような長尺物の軸方向への移動を阻害する力（例えば摩擦力）が働き、長尺物の軸方向へのスムーズな移動が阻害されるため、巻き乱れが発生しやすくなる。そこで、本発明の長尺物巻取装置では、長尺物をガイド体に直接接触させるのではなく、長尺物を保持体により保持し、その保持体をガイド体で支持するようにしている。このため、長尺物の軸方向への移動により生じる摩擦力を大幅に低減することが可能となり、長尺物を軸方向へスムーズに移動させることができる。したがって、長尺物は、ドラムの軸方向に沿って巻き取り位置を順に移動しながら巻き取られる。
【００１１】
ただし、このように長尺物がドラムの軸方向に巻き取り位置を順に移動しながら巻き取られていくことによりドラムの軸方向における端部に到達すると、その端部に長尺物が集中して巻き取られやすくなる。そこで、本発明の長尺物巻取装置では、ガイド体により形成される移動経路を、軸方向における両端部から中央側へ向かって、長尺物の巻き取り操作が行われている状態において保持体がガイド体に当接する方向に傾斜させている。このため、保持体がガイド体に当接する力が、保持体を軸方向における端部から中央側へ移動させる力として作用する。この結果、長尺物は、ドラムの軸方向に巻き取り位置を順に移動しながら巻き取られていくことによりドラムの軸方向における端部に到達すると、今度は軸方向の逆方向に順に移動しながら巻き取られる。
【００１２】
つまり、本発明の長尺物巻取装置は、長尺物がドラムに巻き取られる際にドラムの軸方向に沿って巻き取り位置を順に移動しながら巻き取られていくという本来の性質に着目し、その性質を阻害する要因を取り除くことにより、長尺物をドラムの軸方向において均等に巻き取るという効果を達成するものである。具体的には、上述のように、長尺物の軸方向への移動に対する摩擦力を低減するとともに、長尺物がドラムの軸方向端部へ到達した際に逆方向への移動を促すようにしている。
【００１３】
したがって、本発明の長尺物巻取装置によれば、長尺物の巻き乱れを効果的に抑制することができる。
ところで、長尺物の軸方向への移動により生じる摩擦力を小さくするためには、保持体及びガイド体を長尺物に比べ摩擦力が生じにくい材料（例えばプラスチックや金属）で形成することが考えられる。また、材料以外で摩擦力を低減する手法としては、例えばボールベアリング等の転動体を保持体又はガイド体に設けることが考えられる。
【００１４】
ただし、簡単な構成により摩擦力を効果的に小さくするには、例えば次のような構成の保持体を用いることが好ましい。すなわち、保持体は、外面に円周面が形成されており、長尺物の巻き取り操作が行われている状態において円周面でガイド体に当接し、ガイド体に沿って転がりながら移動可能に構成されている。このような保持体を備えた長尺物巻取装置は、ボールベアリング等を用いた構成に比べて極めて簡単に構成することができ、しかも、保持体とガイド体との間に生じる摩擦力を効果的に小さくすることができる。
【００１５】
一方、保持体は、長尺物が挿通する挿通部が形成されるとともに挿通部に挿通している状態の長尺物を摺動可能に保持する構成とすることができる。この場合、例えば螺旋状の部材により挿通部を形成することも可能ではあるが、貫通穴により挿通部を形成するようにすれば、簡単な構成により実現することができるとともに、長尺物を確実に保持することができる。
【００１６】
また、保持体は、長尺物の移動を阻害しにくい状態で保持することが好ましいため、挿通部が、長尺物の挿通方向から見て円形に形成されていることが好ましい。このような構成によれば、長尺物が挿通部に引っ掛かってしまうようなことを生じにくくすることができる。
【００１７】
さらに、長尺物の長手方向（巻き取り方向）への移動を阻害しにくくするには、挿通部の内面が、長尺物の挿通方向と平行な断面が曲線状に形成されていることが好ましい。このような構成によれば、長尺物と保持体との接触面積を極力小さくすることができる。特に、曲線状であるため、挿通部に対する長尺物の挿通方向（角度）が多少変化しても接触面積を小さく保つことができる。この結果、長尺物の長手方向への移動により長尺物と保持体との接触部分に生じる摩擦力を小さくすることができる。
【００１８】
ところで、ガイド体により形成される移動経路としては、例えば、円弧状に湾曲した形状や、Ｖ字状に折れ曲がった形状とすることも考えられるが、軸方向における中央部がドラムの回転軸と平行であることが好ましい。このような構成によれば、保持体をドラムの軸方向にスムーズに移動させることができる。すなわち、例えばＶ字状のように保持体の移動を促す位置が一箇所（Ｖ字の折れ曲がり部分）に決まるような場合には、保持体がその位置（折れ曲がり部分）まで移動すると、そこから動かなくなるという現象が生じやすくなる。これに対し、移動経路の中央部については傾斜させないようにすることで、保持体が動かなくなってしまうことを防ぐことができる。
【００１９】
なお、この場合、移動経路における両端部の傾斜は、曲線状（例えば円弧状）の傾斜や直線状の傾斜が考えられるが、直線状の傾斜とすることが好ましい。直線状であれば、保持体が傾斜に反して移動する際の負担（移動を阻害する力）を一定とすることができ、過度の負担がかからないようにすることができる。
【００２０】
また、ガイド体が、軸方向と垂直な面における保持体の位置に遊びを設けた状態で保持体を支持する構成であれば、長尺物の巻き取り操作において長尺物を柔軟に保持することができる。
【００２１】
一方、ガイド体が、ドラム支持体を弾性力により把持する把持部を備えており、把持部によりドラム支持体を把持することによりドラム支持体に固定されるように構成してもよい。このような構成によれば、長尺物巻取装置の製造工程において、ドラム支持体に対するガイド体の取り付け作業を容易に行うことができる。
【００２２】
また、長尺物をドラムの下方から巻き取る構成とするとよい。この構成において、ガイド体により形成される移動経路は、軸方向における両端部から中央側へ向かって下方に傾斜している。このように長尺物をドラムの下方から巻き取る構成では、長尺物を巻き取る際の長尺物の高低差を小さくすることが可能となり、巻き取りをスムーズに行うことができる。すなわち、長尺物をドラムの上方から巻き取る構成では、長尺物を高い位置に巻き取らなければならず、しかも、長尺物の巻き取り量に応じて巻き取り位置（高さ）が変化しやすいため、保持体による保持位置が安定しない。これに対し、長尺物をドラムの下方から巻き取る構成では、長尺物を低い位置から巻き取ることができ、しかも、長尺物の巻き取り量に応じた巻き取り位置（高さ）も変化しにくい（巻き取り量に関係なく長尺物が垂れ下がる）ため、保持体による保持位置も安定する。このため、長尺物を安定して巻き取ることができる。
【発明を実施するための最良の形態】
【００２３】
以下、本発明が適用された実施形態について、図面を用いて説明する。
図１は、実施形態のホースリールの外観を示す斜視図である。また、図２は、ホースリールの構造を示す説明図であり、（ａ）は背面図、（ｂ）は底面図、（ｃ）は左側面図、（ｄ）は（ｃ）のＡ−Ａ断面図である。また、図３は、後述する保持体６０及びガイド体７０の説明図であり、（ａ）は背面側から見た斜視図、（ｂ）は上面図、（ｃ）は（ｂ）のＢ−Ｂ断面図、（ｄ）は側方から見た断面図である。
【００２４】
これらの図に示すように、本実施形態のホースリールは、通水用のホースを巻き取るためのドラム１０と、このドラム１０を水平な回転軸を中心に回転可能に支持するドラム支持体２０とを備えている。
【００２５】
ドラム支持体２０は、金属製のパイプを曲げ加工することにより一対の脚部３１，３１を一体形成した支持体本体３０と、この支持体本体３０の脚部３１，３１間に掛け渡された一対のドラム支持板４１，４２と、支持体本体３０の上部に設けられた持ち運び用の手持ち部４３とから構成されている。
【００２６】
また、ドラム１０は、円板状の両端板１１，１２間に円筒状の胴部１３が固定されたものであり、この胴部１３の外周部にホースを巻き取る構成となっている。そして、ドラム１０は、ドラム支持体２０におけるドラム支持板４１，４２により回転可能に支持されており、一方（左側）のドラム支持板４１に設けられたハンドル４４の回転操作により回転されるように構成されている。また、他方（右側）のドラム支持板４２には、水源である水道の蛇口側のホースが接続される接続プラグ５１が設けられており、この接続プラグ５１には、ドラム１０に巻かれたホースが接続されるパイプ部材５２の一端が接続されている（図２参照）。これにより、蛇口からの水道水が、接続プラグ５１及びパイプ部材５２を介してドラム１０に巻かれたホースに供給される。特に、本実施形態のホースリールでは、パイプ部材５２は、ハンドル４４の回転操作によりホースがドラム１０の上方からではなく下方から巻き取られる向きに配置されている。
【００２７】
一方、本実施形態のホースリールは、ホースにおけるドラム１０に巻き取られていない部分を摺動可能に保持する保持体６０と、この保持体６０をドラム１０の回転軸方向（以下、単に「軸方向」という。）に沿った移動経路上でスライド移動可能に支持するガイド体７０とを備えている。
【００２８】
ガイド体７０は、２本の金属製の線材７１，７２と、これらをその両端で平行に保持する樹脂（プラスチック）製の保持部材７３，７３とを備えている。
線材７１，７２は、保持体６０の上下方向及び前後方向の位置（軸方向以外の位置）を規制することにより、保持体を支持するとともにその移動経路を形成する。ここで、線材７１，７２により形成される移動経路ｘ（図３（ｃ）参照）は、軸方向における両端部から中央側へ向かって、下方に直線状に傾斜している。また、線材７１，７２間の上下幅は、保持体６０における線材７１，７２に当接する部分（後述する円周面）の直径よりもやや大きく設定されており（遊びが設けられており）、ホースの巻き取り操作が行われている状態においては、保持体６０は重力（保持体６０及び保持体６０に保持されている状態のホースに加わる重力）により下側の線材７２に当接する。つまり、移動経路ｘは、ホースの巻き取り操作が行われている状態において保持体６０が当接する方向（下方）に傾斜していることになる。一方、移動経路ｘの軸方向における中央部は、ドラム１０の回転軸と平行（水平）となっている。なお、保持体６０の軸方向における移動可能範囲は、保持部材７３，７３により制限される。
【００２９】
各保持部材７３には、ドラム支持体２０における一方の脚部３１を弾性力により把持する把持部７４が形成されており、ガイド体７０は、各保持部材７３の把持部７４が脚部３１を把持した状態でドラム支持体２０に固定される。つまり、ガイド体７０は、ドラム支持体２０に対してボルトや工具等を用いることなく着脱可能に構成されている。
【００３０】
保持体６０は、樹脂（プラスチック）製の円環状部材（ローラ）であり、ホースが挿通する円形の貫通穴６１が形成されており、貫通穴６１に挿通している状態のホースを保持する。また、保持体６０は、その外面における線材７１，７２に当接する部分が円周面（貫通穴６１の中心軸を中心とした回転により形成される曲面。換言すれば、貫通穴６１の中心軸に垂直な断面が円形となる面。）に形成されている。このため、保持体６０は、ホースの巻き取り操作が行われている状態において、ガイド体７０の線材７１，７２に沿って転がりながら移動可能となっている。また、貫通穴６１の内面は、ホースの挿通方向（換言すれば貫通穴６１の中心軸方向）と平行な断面（図３（ｄ））が曲線状（貫通穴６１の中心軸方向に膨らんだ円弧状）に形成されており、ホースとの間で生じる摩擦力を小さくすることによりホースの長手方向への移動（巻き取り方向への移動）を阻害しにくくしている。
【００３１】
以上のような構成のホースリールでは、ホースが保持体６０に保持（挿通）されている状態で、右手でハンドル４４を回転操作してドラム１０を矢印Ｃ方向へ回転させることにより、手を汚さずにホースをドラム１０にきれいに巻き取ることができる。このとき、背面側の脚部３１を足で踏んで抑えることにより、ドラム支持体２０が動かないようにすることができる。
【００３２】
具体的には、ホースがドラム１０に巻き取られる過程において、ホースにおけるドラム１０に巻き取られようとする部分は、既にドラム１０に巻き取られている部分と接触することにより、軸方向両側におけるいずれか一方へずれて巻き取られる。このとき、本実施形態のホースリールでは、ホースを保持体６０により保持し、その保持体６０をガイド体７０で支持するようにしているため、ドラム１０に巻き取られようとするホースが保持体６０とともに軸方向へスムーズに移動する。特に、パイプ部材５２がドラム１０の軸方向における一方（右側寄り）に偏った位置に配置されているため、ホースの巻き始めにおける軸方向への移動を効果的に促すことができる。
【００３３】
なお、ハンドル４４の回転操作に連動して保持体６０が自動的に（回転操作の動力により）スライド移動する構成とすることも可能ではあるが、このようにすると、構造が複雑となり高コストとなるだけでなく、故障しやすくなるため好ましくない。特に、ホースリールでは、泥や草などがホースに付着した状態で巻き取られやすいことから、ギアやベルト等の動力伝達部材を多用すると故障しやすくなる。これに対し、本実施形態のホースリールは、保持体６０をガイド体７０で支持する簡素な構造であり、低コストとすることができるだけでなく故障しにくいものとすることができる。
【００３４】
さらに、本実施形態のホースリールでは、ガイド体７０により形成される移動経路を、軸方向における両端部から中央側へ向かって下方に傾斜させている。このため、保持体６０がガイド体７０に当接する力が、保持体６０を軸方向における端部から中央側へ移動させる力として作用する。この結果、ホースは、軸方向に巻き取り位置を順に移動しながら巻き取られていくことにより軸方向における端部に到達すると、今度は軸方向の逆方向に順に移動しながら巻き取られていくことになる。したがって、本実施形態のホースリールによれば、ホースをドラム１０に巻き取ることによる巻き乱れの発生を効果的に抑制することができる。
【００３５】
また、本実施形態のホースリールでは、円環状の保持体６０を用いているため、ボールベアリング等を用いた構成に比べて極めて簡単に構成することができ、しかも、保持体６０とガイド体７０の線材７１，７２との間に生じる摩擦力を効果的に小さくすることができる。
【００３６】
一方、保持体６０は、円環状の部材であり、簡単な構成により実現することができるとともに、ホースを確実に保持することができる。ここで、保持体の貫通穴６１は円形に形成されているため、ホースが貫通穴６１に引っ掛かってしまうようなことを生じにくくすることができる。また、貫通穴６１の内面は、ホースの挿通方向と平行な断面が曲線状に形成されているため、ホースと保持体６０との接触面積を極力小さくすることができる。特に、曲線状であるため、貫通穴６１に対するホースの挿通方向（角度）が多少変化しても接触面積を小さく保つことができる。この結果、ホースの長手方向（巻き取り方向）への移動によりホースと保持体６０との接触部分に生じる摩擦力を小さくすることができる。
【００３７】
一方、本実施形態のホースリールでは、保持体６０の移動経路が、その軸方向における中央部がドラムの回転軸と平行になっているため、保持体６０を軸方向にスムーズに移動させることができる。また、移動経路の傾斜は直線状になっているため、保持体６０が傾斜に反して移動する（上る）際の負担（移動を阻害する力）を一定とすることができ、過度の負担がかからないようにすることができる。また、ガイド体７０が、保持体６０の位置に遊びを設けた状態で保持体６０を支持するため、ホースの巻き取り操作においてホースを柔軟に保持することができる。
【００３８】
また、本実施形態のホースリールでは、ガイド体７０が、ドラム支持体２０を把持することにより固定される構成のため、ホースリールの製造工程において、ドラム支持体２０に対するガイド体７０の取り付け作業を容易に行うことができる。
【００３９】
さらに、本実施形態のホースリールでは、ホースをドラム１０の下方から巻き取るようにしているため、ホースを巻き取る際のホースの高低差を小さくすることが可能となり、巻き取りをスムーズに行うことができる。
【００４０】
以上、本発明の一実施形態について説明したが、本発明は、種々の形態を採り得ることは言うまでもない。
例えば、上記実施形態のホースリールでは、保持体６０の移動経路の両端を直線状に傾斜させているが、これに限定されるものではなく、曲線状（例えば円弧状）に湾曲した形状としてもよい。
【００４１】
また、上記実施形態のホースリールでは、貫通穴６１によりホースを保持する円環状の保持体６０を備えた構成を例示したが、これに限定されるものではなく、例えば、螺旋状の部材により保持体を形成してもよい。
【００４２】
さらに、上記実施形態のホースリールでは、外面に円周面が形成された保持体６０を線材７１，７２でスライド移動可能にガイドする構成を採用しているが、これに限定されるものではない。例えば、プラスチック製の箱形の筐体にドラム１０を収容する構成のホースリールであれば、筐体の前面にホース取り出し用の開口部（溝）を設けることにより上記実施形態のガイド体７０に相当する部分を形成し、この溝で保持体６０を支持するようにしてもよい。また、摩擦力を一層低減するために、例えば、ボールベアリング等の転動体を保持体６０又はガイド体７０に設けることも可能である。
【００４３】
一方、上記実施形態では、長尺物として通水用のホースを例示したが、これに限定されるものではなく、例えば、ガスホース、電気コード、ワイヤ、ロープ等を巻き取る巻取装置についても同様に本発明を適用できる。
【図面の簡単な説明】
【００４４】
【図１】実施形態のホースリールの外観を示す斜視図である。
【図２】ホースリールの構造を示す説明図である。
【図３】保持体及びガイド体の説明図である。
【符号の説明】
【００４５】
１０…ドラム、２０…ドラム支持体、４４…ハンドル、６０…保持体、６１…貫通穴、７０…ガイド体、７１，７２…線材、７３…保持部材、７４…把持部、ｘ…移動経路
【図１】
2008063128.tif 000003
【図２】
2008063128.tif 000004
【図３】
2008063128.tif 000005